(57)【要約】【目的】  フレーム同士の直角連結の際の直角精度および直角強度を向上させることのできるフレーム連結構造を提供する。【構成】  一のフレーム（１）の側面と他のフレーム（２）の小口面とを連結部材（３）を介して互いに直角に連結するフレーム連結構造であって、連結部材（３）は、少なくとも他のフレーム（２）の小口面よりも長いプレート状のものであり、当該連結部材（３）を他のフレーム（２）の小口面に固定し、且つ一のフレーム（１）の側面に設けられた蟻溝（１１）に挿入し、さらに、固定ネジ（４）を当該連結部材（３）に蟻溝（１１）内の奥壁面（１１１）に向けてねじ込まれてその先端で奥壁面（１１１）を押し付けることで、当該連結部材（３）を蟻溝（１１）内の手前壁面（１１２）に押し付けて固定するようになっている。【選択図】図１
2005207560.tif 000002
【特許請求の範囲】
【請求項１】
一のフレームの側面と他のフレームの小口面とを連結部材を介して互いに直角に連結するフレーム連結構造であって、
連結部材は、少なくとも他のフレームの小口面よりも長いプレート状のものであり、
当該連結部材を他のフレームの小口面に固定し、且つ一のフレームの側面に設けられた蟻溝に挿入し、さらに、固定ネジを当該連結部材に蟻溝内の奥壁面に向けてねじ込みその先端で奥壁面を押し付けることで、当該連結部材を蟻溝内の手前壁面に押し付けて固定するようになっていることを特徴とするフレーム連結構造。
【請求項２】
連結部材は、外方に突出した当り部をさらに有しており、前記小口面への固定の際に当該当り部が前記他のフレームに設けられた開口部内にその内周面に当接するように挿入されることを特徴とする請求項１記載のフレーム連結構造。
【発明の詳細な説明】
【技術分野】
【０００１】
この出願の発明は、フレーム連結構造に関するものである。さらに詳しくは、この出願の発明は、各種フレーム同士の直角連結に有用な、直角精度および直角強度を向上させることのできるフレーム連結構造に関するものである。
【背景技術】
【０００２】
従来、フレーム同士を互いに直角に連結させる構造としては、たとえば特許文献１に記載のものが知られている。このものは、一のフレームと他のフレームとを連結部材およびジョイント部材を介して直角連結させており、より具体的には、他のフレームの小口面に連結部材の一端をタッピングネジにより結合させ、この連結部材の他端にジョイント部材を回動自在に取り付け、このジョイント部材を一のフレームの側面に設けられた蟻溝に係止させることで、一のフレームの側面と他のフレームの小口面とを当接させて直角連結させている。
【特許文献１】特開平８−３０３４１７号公報
【発明の開示】
【発明が解決しようとする課題】
【０００３】
しかしながら、上記特許文献１記載の従来のフレーム連結構造では、フレーム側面の蟻溝内に挿入されるジョイント部材が短尺状のものであるため、またそのジョイント部材を蟻溝に係止させているだけであるため、フレームのぐらつき等が生じ易く、直角精度や直角強度を高く保つことが難しい。
【０００４】
そこで、以上のとおりの事情に鑑み、この出願の発明は、直角連結の際の直角精度および直角強度を向上させることのできるフレーム連結構造を提供することを課題としている。
【課題を解決するための手段】
【０００５】
この出願の発明は、上記の課題を解決するものとして、第１には、一のフレームの側面と他のフレームの小口面とを連結部材を介して互いに直角に連結するフレーム連結構造であって、連結部材は、少なくとも他のフレームの小口面よりも長いプレート状のものであり、当該連結部材を他のフレームの小口面に固定し、且つ一のフレームの側面に設けられた蟻溝に挿入し、さらに、固定ネジを当該連結部材に蟻溝内の奥壁面に向けてねじ込みその先端で奥壁面を押し付けることで、当該連結部材を蟻溝内の手前壁面に押し付けて固定するようになっていることを特徴とするフレーム連結構造を提供する。
【０００６】
第２には、連結部材は、外方に突出した当り部をさらに有しており、前記小口面への固定の際に当該当り部が前記他のフレームに設けられた開口部内にその内周面に当接するように挿入されることを特徴とする前記フレーム連結構造を提供する。
【発明の効果】
【０００７】
上記第１のフレーム連結構造によれば、上記のとおりの長尺の連結部材を用いることで、且つその連結部材を上記のとおりに他のフレームの小口面および一のフレームの蟻溝内に固定させることで、フレーム同士を従来よりも高い直角精度および直角強度で直角連結させることができる。
【０００８】
上記第２のフレーム連結構造によれば、上記第１の連結構造と同様な効果が得られ、また、連結部材に当り部を設けて、それを上記のとおりに他のフレーム内に挿入させることで、直角精度および直角強度をより向上させることができる。
【発明を実施するための最良の形態】
【０００９】
図１および図２は、各々、この出願の発明の一実施形態を示したものである。
【００１０】
これら図１および図２の実施形態では、一のフレーム（１）と他のフレーム（２）とを互いの側面および小口面にて直角連結するための連結部材（３）が、少なくとも他のフレーム（２）の小口面よりも長い長尺なプレート状のものとなっており、他のフレーム（２）の小口面に固定される部位には固定ネジ（４）用のネジ貫通口（３１）（図２参照）が設けられ、且つこの小口面固定部位からさらに延びた一のフレーム（１）の側面に固定される部位には固定ネジ（５ａ）（５ｂ）用のネジ孔（３２ａ）（３２ｂ）（図２参照）が設けられている。
【００１１】
そして、まず、この連結部材（３）を他のフレーム（２）の小口面に固定する。より具体的には、この固定は、たとえば、固定ネジ（４）を上記ネジ貫通口（３１）を通して、他のフレーム（２）内に設けられたネジ孔部（２１）（図１（ｂ）参照）へねじ込むことで行うようになっている。
【００１２】
次に、小口面に固定した連結部材（３）全体を、一のフレーム（１）の側面に長手方向に沿って設けられた蟻溝（１１）に挿入する。この状態で、固定ネジ（５ａ）（５ｂ）を蟻溝（１１）内の奥壁面（１１１）に向けて上記ネジ孔（３２ａ）（３２ｂ）にねじ込み、ネジ孔（３２ａ）（３２ｂ）から突出したネジ先端で奥壁面（１１１）を押し付ける。これにより、連結部材（３）自体が、蟻溝（１１）内の手前壁面（１１２）、つまり奥壁面（１１１）に対向した溝入口付近に位置する内壁面の方に引き付けられ、そしてそれに押し付けられて、蟻溝（１１）内に固定されることとなる。
【００１３】
以上により、他のフレーム（２）の小口面および一のフレーム（１）の側面の蟻溝（１１）にしっかりと固定された長尺プレート状の連結部材（３）によって、高い直角精度および直角強度でのフレーム直角連結が実現されている。
【００１４】
また、図１の実施形態では、連結部材（３）が、外方に突出した当り部（３３ａ）（３３ｂ）を備えたものとなっている。
【００１５】
より具体的には、連結部材（３）の上記のとおりの小口面固定部位において、他のフレーム（２）の小口面の方向に突出した複数の当り部（３３ａ）（３３ｂ）が設けられている。他のフレーム（２）内には、溝部や中空部等の開口部（２２ａ）（２２ｂ）が複数設けられており、当り部（３３ａ）（３３ｂ）はそれぞれ、各開口部（２２ａ）（２２ｂ）に対応させた位置および形状となっている。本実施形態では、一方の当り部（３３ａ）は、対応する開口部（２２ａ）内において上記ネジ孔部（２１）の支持片（２１１）（図１（ｂ）参照）を挟むような位置および形状となっており、他方の当り部（３３ｂ）は、対応する開口部（２２ｂ）と同じ位置であってその内壁面形状に沿う外面形状となっている。
【００１６】
そして、連結部材（３）は、まず、これら当り部（３３ａ）（３３ｂ）が開口部（２２ａ）（２２ｂ）内にその内壁面に当接するように挿入されることで、他のフレーム（２）の小口面に取り付けられ、この状態でさらに上記のとおりに固定ネジ（４）がねじ込まれることで、小口面にネジ固定される。なお、本実施形態では、当り部（３３ｂ）は、固定ネジ（６）がそのネジ貫通口（３３１）を通してねじ込まれて、他のフレーム（２）にネジ固定されてもいる。
【００１７】
以上のような当り部（３３ａ）（３３ｂ）の存在およびその挿入によって、直角強度をより一層向上できるのである。
【００１８】
もちろん、この出願の発明は以上の実施形態に限定されるものではなく、細部については様々な態様が可能である。
【産業上の利用可能性】
【００１９】
以上詳しく説明した通り、この出願の発明によって、直角連結の際の直角精度および直角強度を向上させることのできるフレーム連結構造が提供される。
【図面の簡単な説明】
【００２０】
【図１】（ａ）（ｂ）（ｃ）は、各々、この出願の発明の一実施形態を例示した平面図、側面図および正面図である。
【図２】（ａ）（ｂ）（ｃ）は、各々、図１の実施形態における連結部材を例示した平面図、側面図および正面図である。
【符号の説明】
【００２１】
１  一のフレーム
１１  蟻溝
１１１  奥壁面
１１２  手前壁面
２  他のフレーム
２１  ネジ孔部
２１１  支持片
２２ａ，２２ｂ  開口部
３  連結部材
３１  ネジ貫通口
３２ａ，３２ｂ  ネジ孔
３３ａ，３３ｂ  当り部
３３１  ネジ貫通口
４  固定ネジ
５ａ，５ｂ  固定ネジ
６  固定ネジ
【図１】
2005207560.tif 000003
【図２】
2005207560.tif 000004